(57)【特許請求の範囲】
【請求項１】
２つの受信系統と前記各受信系統に対応するＯＦＤＭ復調手段とを有する受信装置であって、
前記一方の受信系統で生成されるベースバンド信号と、前記他方の受信系統で生成され切替手段を介して供給されるベースバンド信号とを合成して前記一方のＯＦＤＭ復調手段に供給する加算手段と、
前記他方の受信系統で生成されるベースバンド信号を前記加算手段又は前記他方のＯＦＤＭ復調手段に排他的に切り替えて供給する切替手段と、
１つの物理チャンネルの全セグメント及び他の物理チャンネルの１つのセグメントについて時間デインターリーブの処理を行うのに必要な記憶容量に設定され、前記一方又は他方のＯＦＤＭ復調手段が時間デインターリーブの処理を行う際の作業領域として設けられる共有メモリ手段とを具備し、
前記２つの受信系統で同一の物理チャンネルを受信する際には、前記切替手段が前記他方の受信系統で生成されるベースバンド信号を前記加算手段側に切り替えて供給すると共に、前記一方のＯＦＤＭ復調部が前記共有メモリ手段を作業領域として時間デインターリーブの処理を行い、
前記２つの受信系統で互いに異なる物理チャンネルを受信する際には、前記切替手段が前記他方の受信系統で生成されるベースバンド信号を前記他方のＯＦＤＭ復調手段側に切り替えて供給すると共に、前記一方及び他方のＯＦＤＭ復調部が前記共有メモリ手段を共有の作業領域として時間デインターリーブの処理を行うこと、
を特徴とする受信装置。
【請求項２】
前記２つの受信系統で互いに異なる物理チャンネルを受信する際、前記他方のＯＦＤＭ復調手段は、部分受信用のセグメントについての時間デインターリーブの処理を行こと、
を特徴とする請求項１に記載の受信装置。
【請求項３】
前記２つの受信系統で互いに異なる物理チャンネルを受信する際、前記他方の受信系統は、物理チャンネルの異なる各放送局の放送を順次に変更して受信すること、
を特徴とする請求項１又は２に記載の受信装置。
【請求項４】
更に、前記一方の受信系統における受信感度を検出し、前記受信感度が良好と判断すると、前記２つの受信系統で互いに異なる物理チャンネルを受信させると共に、前記他方の受信系統に物理チャンネルの異なる各放送局の放送を順次に変更して受信させる制御手段を有すること、
を特徴とする請求項１〜３の何れか１項に記載の受信装置。
【請求項５】
前記制御手段は、前記他方の受信系統に物理チャンネルの異なる各放送局の放送を順次に変更して受信させることにより、電子番組表を作成するための受信を行わせること、
を特徴とする請求項４に記載の受信装置。
【発明の詳細な説明】
【技術分野】
【０００１】
本発明は、ＯＦＤＭ方式のディジタル放送等を受信する受信装置に関する。
【背景技術】
【０００２】
新時代の放送メディアとして、ＢＳディジタル放送、１１０度ＣＳディジタル放送に続いて、地上ディジタル放送が開始され、特に、障害物の影響を受けやすい地上波を利用する地上ディジタル放送では、フェージング等に対する劣化耐性に優れ、固定受信のみならず移動受信においても多様なサービスを提供することが可能な伝送路符号化方式として、ＯＦＤＭ（Orthogonal Frequency Divisin Multiplexing）方式が採用されている。【０００３】
また、我が国の地上ディジタル放送は、ＩＳＤＢ-Ｔ（Integrated Services Digital Broad-casting for Terrestrial）方式と呼ばれている。そして、伝送路符号化方式として、ＯＦＤＭ方式の一種であるＢＳＴ-ＯＦＤＭ（Band Segmented Transmission-ＯＦＤＭ）方式が採用され、各物理チャンネルの伝送帯域（６ＭＨｚ）において、所定帯域幅（約４３０ｋＨｚ）を１セグメントとして合計１３セグメントを同時に伝送することが可能であり、更に、１つのセグメント毎に異なる伝送パラメータで伝送路符号化し、劣化耐性の異なる複数階層（最大３階層）の階層伝送を行うことが可能となっている。これにより、例えば、１つの物理チャンネルの中で、固定受信向けと移動受信向けの同時放送（サイマル放送）等を行うことが可能であり、多様なサービスを提供できるようになっている。【０００４】
一方、地上ディジタル放送を受信する受信装置、特に移動体受信装置では、より良好な受信状態の下で地上ディジタル放送を受信すべく、ダイバーシチアンテナを備えたものが知られている（特許文献１参照）。【０００５】
図１（ａ）は、特許文献１の図１に記載されている受信装置と同様の構成を採用している、従来の一般的な受信装置の構成を表したブロック図であり、複数のダイバーシチアンテナＡＴ1〜ＡＴｎと、アンテナ切替部１と、チューナ部２ａ，２ｂとアナログディジタル変換器３ａ，３ｂとＦＦＴ部４ａ，４ｂと、加算器５、ＯＦＤＭ復調部６、ＭＰＥＧデコーダ部７とを備え、チューナ部２ａとアナログディジタル変換器３ａとＦＦＴ部４ａとによって第１の受信系統Ａ、チューナ部２ｂとアナログディジタル変換器３ｂとＦＦＴ部４ｂとによって第２の受信系統Ｂが構成されている。【０００６】
アンテナ切替部１では、例えば最大の受信感度が得られるアンテナが探索され、チューナ部２ａ，２ｂへの切替え接続が行われる。チューナ部２ａ，２ｂでは、ユーザ等から指定されたチャンネル番号（物理チャンネル）の放送を受信すべく、同一周波数ｆ１の局発信号とアンテナ切替部１を介して入力される受信信号とが混合され、周波数変換された中間周波信号（ＩＦ信号）が生成される。これらのＩＦ信号は、アナログディジタル変換器３ａ，３ｂでディジタルＩＦ信号に変換され、更にＦＦＴ部４ａ，４ｂにおいて高速フーリエ変換されることで、いわゆるベースバンド信号に変換される。これらのベースバンド信号は加算器５で加算（合成）され、その合成されたベースバンド信号ＳaddがＯＦＤＭ復調部６で復調されることで、復調データとしてのトランスポートストリームＴＳ（ＭＰＥＧ-２ＴＳ）となってＭＰＥＧデコーダ部７に供給され、放送番組の映像や音声等の信号にデコードされて出力される。なお、実際の回路では、ＯＦＤＭ復調部６とＭＰＥＧデコーダ部７の間には、トランスポートストリームＴＳをパケットに分離してＭＰＥＧデコーダ部７に供給するデマルチプレクサが設けられているが、説明の便宜上、省略して説明した。【０００７】
ここで、図１（ｂ）を参照して、ＯＦＤＭ復調部６の基本機能を述べると、まず、ＯＦＤＭフレームデコード処理部が上述の加算されたベースバンド信号Ｓaddをセグメントの順番に配列して出力し、その配列されたベースバンド信号を同期検波若しくは遅延検波した後、周波数デインターリーブと時間デインターリーブを施し、続いて、デマッピング部で所定の変調方式（ＱＰＳＫ、１６ＱＡＭ、６４ＱＡＭ）に準拠した復調処理を施した後、ビットデインターリーブ部で所定ビット単位でのデインターリーブを施す。次に、デパンクチャ及びビタビ復号部で畳み込み符号（内符号）による誤り訂正復号処理を施して、バイト単位でのバイトデインターリーブを行った後、エネルギー逆拡散を行って、更にリードソロモン符号（外符号）による誤り訂正復号処理を施すことで、上述のトランスポートストリームＴＳを再生し、ＭＰＥＧデコーダ部７に供給するようになっている。【０００８】
かかる構成を有する従来のダイバーシチアンテナを備えた受信装置によれば、２系統のチューナ部２ａ，２ｂで同じ物理チャンネルの放送を同時受信し、その同時受信によってＦＦＴ部４ａ，４ｂから出力される２つのベースバンド信号を加算器５で合成してからＯＦＤＭ復調部６で復調処理を行うことから、Ｃ／Ｎの向上を図ることができ、より良好な受信状態で地上ディジタル放送を受信することが可能となっている。【０００９】
【特許文献１】特開２００５−１３６４７１号公報
【発明の開示】
【発明が解決しようとする課題】
【００１０】
ところで、上記従来の受信装置では、別個の物理チャンネルの放送を受信することが可能な２つの受信系統Ａ，Ｂで同一の物理チャンネルの放送を受信し、ＦＦＴ部４ａ，４ｂの出力を加算器５で合成してから復調することとしている。このため、従来の受信装置は、２つの受信系統Ａ，Ｂを有しているにもかかわらず、１つの物理チャンネルの放送しか受信することができず、構成要素を有効に活用していないという側面を有していた。【００１１】
例えば、ユーザの選局した放送を受信系統Ａで受信し、その受信中に受信系統Ｂで、各放送局から個別に送られてくる電子番組案内（Electronic Program Guide：ＥＰＧ）等の各局サービス情報（Service Information：ＳＩ）を受信して、ユーザの利用に供するための総合的な電子番組表を作成して記憶手段に予め保存する等の処理を行えば、ユーザに対する利便性の向上を図ることが可能となる。しかし、上述の電子番組案内（ＥＰＧ）等の各局サービス情報（ＳＩ）は、放送局毎に自局のサービス情報として配信されることから、図１（ａ）に示した従来の受信装置のように、２つの受信系統Ａ，Ｂで同一の１つの物理チャンネルだけを受信する構成となっていると、受信系統Ａでユーザの所望する放送を受信中に、他の放送局の電子番組案内（ＥＰＧ）等の各局サービス情報（ＳＩ）を受信系統Ｂで受信して、総合的な電子番組表を作成することができない。こうしたことから、従来の受信装置の構成では、構成要素を有効に活用していないという側面を有していた。【００１２】
そこで、２つの受信系統Ａ，Ｂを有効活用するために、例えば図１（ｃ）に例示するように、各受信系統Ａ，Ｂの後段にＯＦＤＭ復調部６ａ，６ｂとＭＰＥＧデコーダ部７ａ，７ｂを追加接続して、チューナ部２ａ，２ｂにおいて互いに異なる物理チャンネルを受信できるように夫々の局発信号の周波数ｆ１，ｆ２を設定することとすれば、上記例示したユーザに対する利便性の向上を図ることが可能な構成とすることができる。【００１３】
しかしながら、かかる構成とすると、図１（ｂ）に示した時間デインターリーブ部において耐フェージング性能を確保するための時間デインターリーブ処理を行うための時間インターリーブ用メモリ（「シンボルバッファ」と呼ばれている）ＭＥＭが２系統分必要となり、図１（ｃ）に示すようにＯＦＤＭ復調部６ａ，６ｂの夫々に時間インターリーブ用メモリＭＥＭa，ＭＥＭbが設けられることとなるため、膨大なメモリ容量が必要となり、例えば装置の大型化、部品点数の増加等を招来することとなる。【００１４】
つまり、図１（ｃ）に示す構成によると、ＯＦＤＭ復調部６ａ，６ｂ内の夫々インターリーブ部は、１つの物理チャンネルに含まれる個々のセグメントのシンボルデータをシンボル期間分ずつ記憶して、時間デインターリーブの処理を行うことから、夫々１３セグメント分の記憶容量を備えた時間インターリーブ用メモリＭＥＭa，ＭＥＭbを予め備えておく必要があり、膨大な記憶容量が必要となって、装置の大型化、部品点数の増加等を招来するという問題がある。【００１５】
本発明はこのような従来の問題に鑑みてなされたものであり、少なくとも２つの受信系統を有する受信装置であって、良好な受信状態の得られるダイバシティ機能を発揮し、また、構成要素の有効活用を図ることが可能な受信装置を提供することを目的とする。
【課題を解決するための手段】
【００１６】
請求項１に記載の発明は、２つの受信系統と前記各受信系統に対応するＯＦＤＭ復調手段とを有する受信装置であって、前記一方の受信系統で生成されるベースバンド信号と、前記他方の受信系統で生成され切替手段を介して供給されるベースバンド信号とを合成して前記一方のＯＦＤＭ復調手段に供給する加算手段と、前記他方の受信系統で生成されるベースバンド信号を前記加算手段又は前記他方のＯＦＤＭ復調手段に排他的に切り替えて供給する切替手段と、１つの物理チャンネルの全セグメント及び他の物理チャンネルの１つのセグメントについて時間デインターリーブの処理を行うのに必要な記憶容量に設定され、前記一方又は他方のＯＦＤＭ復調手段が時間デインターリーブの処理を行う際の作業領域として設けられる共有メモリ手段とを具備し、前記２つの受信系統で同一の物理チャンネルを受信する際には、前記切替手段が前記他方の受信系統で生成されるベースバンド信号を前記加算手段側に切り替えて供給すると共に、前記一方のＯＦＤＭ復調部が前記共有メモリ手段を作業領域として時間デインターリーブの処理を行い、前記２つの受信系統で互いに異なる物理チャンネルを受信する際には、前記切替手段が前記他方の受信系統で生成されるベースバンド信号を前記他方のＯＦＤＭ復調手段側に切り替えて供給すると共に、前記一方及び他方のＯＦＤＭ復調部が前記共有メモリ手段を共有の作業領域として時間デインターリーブの処理を行うことを特徴とする。
【図面の簡単な説明】
【００１７】
【図１】従来の受信装置構成を概説するためのブロック図である。
【図２】実施形態の受信装置の構成を表したブロック図である。
【図３】実施例の受信装置の構成を表したブロック図である。
【発明を実施するための最良の形態】
【００１８】
本発明の好適な実施形態について図２を参照して説明する。図２（ａ）は本実施形態の受信装置の構成を表したブロック図である。【００１９】
図２（ａ）において、本実施形態の受信装置１０は、ＯＦＤＭ方式のディジタル放送を受信する受信装置であり、複数のダイバーシチアンテナＡＮＴ1〜ＡＮＴnが接続されたアンテナ切替部１１と、第１の受信系統ＲＸＡと、第２の受信系統ＲＸＢと、加算器１５、切替部１８、ＯＦＤＭ復調部１６ａ，１６ｂ、ＭＰＥＧデコーダ部１７ａ，１７ｂと、共有メモリＭＥＭを備えて構成されている。【００２０】
なお、実際の回路では、ＯＦＤＭ復調部１６ａとＭＰＥＧデコーダ部１７ａの間にデマルチプレクサが設けられ、ＯＦＤＭ復調部１６ａで再生される後述のトランスポートストリームＴＳaをパケットに分離してＭＰＥＧデコーダ部１７ａに供給し、その各パケット内の、符号化されている映像や音声のデータ等をデコードさせる構成となっているが、説明の便宜上、ＯＦＤＭ復調部１６ａで再生される後述のトランスポートストリームＴＳaをＭＰＥＧデコーダ部１７ａがデコードするとして説明することとする。【００２１】
また、ＯＦＤＭ復調部１６ｂとＭＰＥＧデコーダ部１７ｂの間にもデマルチプレクサが設けられ、ＯＦＤＭ復調部１７ｂで再生される後述のトランスポートストリームＴＳbをパケットに分離してＭＰＥＧデコーダ部１７ｂに供給し、その各パケット内の、符号化されている映像や音声のデータ等をデコードさせる構成となっているが、説明の便宜上、ＯＦＤＭ復調部１７ｂで再生される後述のトランスポートストリームＴＳbをＭＰＥＧデコーダ部１７ｂがデコードするとして説明することとする。
また、後述の実施例の説明においても、同様に、説明の便宜上、トランスポートストリームＴＳaをＭＰＥＧデコーダ部１７aがデコードし、トランスポートストリームＴＳbをＭＰＥＧデコーダ部１７ｂがデコードするという表現を用いて説明することとする。【００２２】
第１の受信系統ＲＸＡは、アンテナ切替部１１の出力端に接続されたチューナ部１２ａと、アナログディジタル変換器（ＡＤＣ）１３ａと、ＦＦＴ部１４ａを有し、ＦＦＴ部１４ａの出力端が加算器１５を介してＯＦＤＭ復調部１６ａに接続されている。【００２３】
また、第２の受信系統ＲＸＢは、アンテナ切替部１１の出力端に接続されたチューナ部１２ｂと、アナログディジタル変換器（ＡＤＣ）１３ｂと、ＦＦＴ部１４ｂを有し、ＦＦＴ部１４ｂの出力端に切替部１８の入力接点が接続され、切替部１８の一方の出力接点Ｘが加算器１５に接続され、他方の出力接点ＹがＯＦＤＭ復調部１６ｂに接続されている。【００２４】
アンテナ切替部１１は、複数のアンテナＡＮＴ1〜ＡＮＴnのうち、最も良好な受信状態が得られるアンテナを探索して、チューナ部１２ａ，１２ｂに切替え接続する。【００２５】
チューナ部１２ａは、アンテナ切替部１１からのＲＦ受信信号（最も良好な受信状態が得られるＲＦ受信信号）とチャンネル周波数ｆ１の局発信号とを混合することによって周波数変換を行い、チャンネル周波数ｆ１に対応する物理チャンネルを帯域幅とする中間周波信号、すなわち１３セグメント分の帯域幅を有する中間周波信号（ＩＦ信号）を出力する。そして、そのＩＦ信号をＡＤＣ１３ａがデジタルＩＦ信号にアナログディジタル変換し、更にＦＦＴ部１４ａがそのデジタルＩＦ信号を高速フーリエ変換することにより、ベースバンド信号Ｂａを生成して出力する。【００２６】
チューナ部１２ｂは、アンテナ切替部１１から供給される上述の最も良好な受信状態が得られるＲＦ受信信号とチャンネル周波数ｆ２の局発信号とを混合することによって周波数変換を行い、チャンネル周波数ｆ２に対応する物理チャンネルを帯域幅とする中間周波信号、すなわち１３セグメント分の帯域幅を有する中間周波信号（ＩＦ信号）を出力する。そして、そのＩＦ信号をＡＤＣ１３ｂがデジタルＩＦ信号にアナログディジタル変換し、更にＦＦＴ部１４ｂがそのデジタルＩＦ信号を高速フーリエ変換することにより、ベースバンド信号Ｂｂを生成して出力する。【００２７】
ここで、上述のチャンネル周波数ｆ１，ｆ２が同一の周波数に設定されると、チューナ部１２ａ，１２ｂからは、同じ物理チャンネルの中間周波信号が出力され、更にＦＦＴ部１４ａ，１４ｂからも同じ物理チャンネルのベースバンド信号Ｂａ，Ｂｂが出力される。【００２８】
一方、チャンネル周波数ｆ１，ｆ２が互いに異なった周波数に設定されると、チューナ部１２ａ，１２ｂからは、互いに異なった物理チャンネルの中間周波信号が出力され、更にＦＦＴ部１４ａ，１４ｂからも互いに異なった物理チャンネルのベースバンド信号Ｂａ，Ｂｂが出力される。【００２９】
切替部１８は、排他的に切り替える出力接点Ｘ，Ｙを有し、上述したようにチャンネル周波数ｆ１，ｆ２が同一の周波数に設定されると、出力接点Ｘ側に切り替わることで、ＦＦＴ部１４ｂから出力されるベースバンド信号Ｂｂを加算器１５へ転送して、ＦＦＴ部１４ａの出力であるベースバンド信号Ｂａと加算（合成）させる。【００３０】
一方、チャンネル周波数ｆ１，ｆ２が互いに異なった周波数に設定されると、切替部１８は、出力接点Ｙ側に切り替わることで、ＦＦＴ部１４ｂから出力されるベースバンド信号ＢｂをＯＦＤＭ復調部１６ｂに対し入力信号Ｓｂとして供給する。【００３１】
加算器１５は、上述したようにチャンネル周波数ｆ１，ｆ２が同一の周波数に設定されると、ＦＦＴ部１４ａからのベースバンド信号Ｂａと、ＦＦＴ部１４ｂから切替部１８を介して供給されるベースバンド信号Ｂｂとを合成し、その合成したベースバンド信号をＯＦＤＭ復調部１６ａに対し入力信号Ｓａとして供給する。【００３２】
一方、チャンネル周波数ｆ１，ｆ２が互いに異なった周波数に設定されると、切替部１８がＦＦＴ部１４ｂのベースバンド信号Ｂｂを加算器１５へ転送しなくなるため、加算器１５はＦＦＴ部１４ａからのデースバンド信号ＢａをＯＦＤＭ変調部１６ａに対し入力信号Ｓａとして供給する。【００３３】
ＯＦＤＭ復調部１６ａ，１６ｂは、いずれも図１（ｂ）に示したのと同様の構成を有している。【００３４】
ただし、ＯＦＤＭ復調部１６ａ，１６ｂには、時間デインターリーブの処理を行う際の作業領域として、共有メモリＭＥＭが設けられている。【００３５】
この共有メモリＭＥＭは、１３セグメントで伝送されてくる高品質テレビジョン（High Definition Television：ＨＤＴＶ）放送を受信する場合に、時間デインターリーブの処理を行うのに必要となる１物理チャンネル分（１３セグメント分の記憶領域）と、部分受信用の１セグメント分の記憶領域とを有して形成されている。つまり、図１（ｃ）に示したように２つの時間インターリーブ用メモリＭＥＭa，ＭＥＭbが別々に設けられた構成とはなっていない。【００３６】
つまり、ディジタル放送のＡＲＩＢ規格では、放送局側が階層伝送を行う際、変調方式やキャリア数、有効シンボル長等の伝送パラメータを変更することが可能となっており、これらの伝送パラメータを示すモード１、モード２、モード３のいずれかを選択することが可能となっている。そのため、モード１、モード２、モード３のいずれのモードで階層伝送されてきた物理チャンネルの放送を受信する場合でも、ＯＦＤＭ復調部が時間デインターリーブの処理を行うためには、１つの物理チャンネルで階層伝送されて来た１３セグメント分のシンボルデータを記憶するための記憶容量が必要である。そのため、図１（ｃ）に示したように２つのＯＦＤＭ復調部６ａ，６ｂが設けられた従来技術では、各々のＯＦＤＭ復調部６ａ，６ｂに、時間デインターリーブの処理を行う際の１３セグメント分のシンボルデータを記憶する容量を備えた時間インターリーブ用メモリＭＥＭa，ＭＥＭbが別々に（別言すれば、２つ）設けられていた。【００３７】
これに対し、本実施形態のＯＦＤＭ復調部１６ａ，１６ｂに設けられて共有メモリＭＥＭは、１３セグメントで伝送されてくるＨＤＴＶ放送を受信する場合に、時間デインターリーブの処理を行うのに必要となる１３セグメント分のシンボルデータを記憶するための必要最小限の記憶容量に決められた第１記憶領域（図２（ａ）中、第１セグメント用記憶領域乃至第１３セグメント用記憶領域として示す）と、部分受信用の１セグメント分のシンボルデータを記憶するための記憶領域（第２記憶領域）だけで形成されており、図１（ｃ）に示した時間インターリーブ用メモリＭＥＭa，ＭＥＭbの総記憶容量に比してほぼ半分程度の記憶容量となっている。【００３８】
そして、ＯＦＤＭ復調部１６ａ，１６ｂが時間デインターリーブの処理を行う際、共有メモリＭＥＭを共有して利用することにより、共有メモリＭＥＭの記憶容量の低減が図られている。【００３９】
ＭＰＥＧデコーダ部１７ａ，１７ｂは、ＯＦＤＭ復調部１６ａ，１６ｂの各々で再生されるトランスポートストリームＴＳa，ＴＳbを入力し、ＭＰＥＧ-２ビデオ方式等に準拠したデコード処理と、ＭＰＥＧ-２ ＡＡＣオーディオ方式等に準拠したデーコード処理を行うことで、放送局側から送出されてきた放送番組の内容である映像や音声、データ、電子番組案内（ＥＰＧ）等の各局サービス情報（ＳＩ）等を再生し、出力信号Ｄａ，Ｄｂとして出力する。【００４０】
次に、かかる構成を有する本実施形態の受信装置の動作例について説明する。【００４１】
＜局発信号のチャンネル周波数ｆ１，ｆ２が同じ場合の動作＞
ユーザが所望の放送局のチャンネル番号を選択し、２つの受信系統ＲＸＡ，ＲＸＢで同時受信するように選択すると、チューナ部１２ａ，１２ｂが、その選択されたチャンネル番号（物理チャンネル）に対応する同一のチャンネル周波数ｆ１，ｆ２の局発信号に基づいて周波数変換の処理を行って、同じ帯域幅の中間周波信号（ＩＦ信号）を夫々ＡＤＣ１３ａ，１３ｂ側へ出力し、更に、ＦＦＴ部１４ａ，１４ｂから同じベースバンド信号Ｂａ，Ｂｂが出力される。更に、切替部１８が出力接点Ｘ側に切替え接続し、ＯＦＤＭ復調部１６ｂとＭＰＥＧデコーダ部１７ｂは動作停止の状態となる。【００４２】
そして、加算器１５が、ＦＦＴ部１４ａからのベースバンド信号Ｂａと、切替部１８を介してＦＦＴ部１４ｂから供給されるベースバンド信号Ｂｂとを加算（合成）し、その合成したベースバンド信号ＳａをＯＦＤＭ復調部１６ａに供給する。【００４３】
このように合成されたベースバンド信号Ｓａが入力信号となってＯＦＤＭ復調部１６ａに供給されると、ＯＦＤＭ復調部１６ａでは、図１（ｂ）を参照して説明したのと同様の通常のＯＦＤＭ復調処理が行われる。【００４４】
つまり、ＯＦＤＭフレームデコード処理部がベースバンド信号Ｓａをセグメントの順番に配列し、その配列されたベースバンド信号を同期検波若しくは遅延検波した後、周波数デインターリーブと時間デインターリーブを施し、続いて、デマッピング部で所定の変調方式に準拠した復調処理を施した後、ビットデインターリーブ部で所定ビット単位でのデインターリーブを施す。次に、デパンクチャ及びビタビ復号部で畳み込み符号（内符号）による誤り訂正復号処理を施して、バイト単位でのバイトデインターリーブを行った後、エネルギー逆拡散を行って、更にリードソロモン符号（外符号）による誤り訂正処理を施すことで、上述のトランスポートストリームＴＳaを再生し、ＭＰＥＧデコーダ７ａに供給する。【００４５】
ここで、ＯＦＤＭ復調部１６ａが上述の時間デインターリーブの処理を行う際、共有メモリＭＥＭの第１記憶領域を作業領域に用いて、時間デインターリーブの処理を行う。【００４６】
例えば、図２（ｂ）に示すように１３セグメントのうちの中央に位置する部分受信用のセグメント（Ａ階層のセグメント）によって送られてくる簡易動画と、残余の１２セグメント（Ｂ階層やＣ階層のセグメント）によって送られてくるＨＤＴＶ放送の番組や標準テレビジョン番組を受信した場合には、ＯＦＤＭ復調部１６ａは、共有メモリＭＥＭの第１セグメント用記憶領域から第１３セグメント用記憶領域までの第１記憶領域を用いて時間デインターリーブの処理を行う。また、簡易動画を含まず１３セグメントでＨＤＴＶ放送の番組が伝送されてきた場合にも、共有メモリＭＥＭの第１セグメント用記憶領域から第１３セグメント用記憶領域までの第１記憶領域を用いて時間デインターリーブの処理を行う。【００４７】
そして、上述のトランスポートストリームＴＳaを、ＭＰＥＧデコーダ７ａがデコードし、放送局側から送出されてきた放送番組の内容である映像や音声、データ、電子番組案内（ＥＰＧ）等の各局サービス情報（ＳＩ）等を再生し、出力信号Ｄａとして出力する。【００４８】
このように、チューナ部１２ａ，１２ｂのチャンネル周波数ｆ１，ｆ２が同じ場合には、２系統のチューナ部１２ａ，１２ｂで同じ物理チャンネルの放送を同時受信し、その同時受信によってＦＦＴ部１４ａ，１４ｂから出力される２つのベースバンド信号Ｂａ，Ｂｂを加算器１５で合成してからＯＦＤＭ復調１６ａで復調処理を行うことから、Ｃ／Ｎの向上を図ることができ、より良好な受信状態で地上ディジタル放送を受信することができる。【００４９】
＜局発信号のチャンネル周波数ｆ１，ｆ２が互いに異なる場合の動作＞
ユーザが所望の放送局のチャンネル番号を選択し、受信系統ＲＸＡで受信するように選択すると、切替部１８が出力接点Ｙ側に切り替わり、受信系統ＲＸＢが加算器１５から切り離されてＯＦＤＭ復調部１６ｂ側に接続される。【００５０】
このため、受信系統ＲＸＡ，ＲＸＢは互いに異なる物理チャンネルを受信することが可能となり、受信系統ＲＸＡのチューナ部１２ａには、その選択されたチャンネル番号に対応するチャンネル周波数ｆ１の局発信号が設定され、受信系統ＲＸＢのチューナ部１２ｂは、チャンネル周波数ｆ１とは異なるチャンネル周波数ｆ２の局発信号が設定される。【００５１】
例えば、受信系統ＲＸＢで、各放送局から個別に送られてくる電子番組案内（ＥＰＧ）等の各局サービス情報（ＳＩ）を受信して、ユーザの利用に供するための総合的な電子番組表を作成する場合には、各放送局からの電波をシークして受信すべく、チャンネル周波数ｆ２は各放送局の物理チャンネルに対応するチャンネル周波数に合わせて順次に変更され、また、例えばユーザがいわゆる裏番組を録画しようとすると、チャンネル周波数ｆ２は裏番組の物理チャンネルを受信するための周波数に設定される。【００５２】
こうしてチューナ部１２ａ，１２ｂに対する局発信号のチャンネル周波数ｆ１，ｆ２が互いに異なった周波数に設定されると、受信系統ＲＸＡでは、チューナ部１２ａがユーザから選択されたチャンネル番号に対応するチャンネル周波数ｆ１の局発信号に基づいて周波数変換の処理を行って、中間周波信号（ＩＦ信号）をＡＤＣ１３ａへ出力し、更に、ＦＦＴ部１４ａからベースバンド信号Ｂａが出力され、加算器１５を介してＯＦＤＭ復調部１６ａに供給される。【００５３】
そして、ベースバンド信号Ｂａが入力信号ＳａとなってＯＦＤＭ復調部１６ａに供給されると、ＯＦＤＭ復調部１６ａでは、図１（ｂ）を参照して説明したのと同様のＯＦＤＭ復調処理が行われてトランスポートストリームＴＳaが再生される。【００５４】
ここで、上述のＯＦＤＭ復調部１６ａは、時間デインターリーブの処理を行う際、共有メモリＭＥＭの第１記憶領域（第１セグメント用記憶領域から第１３セグメント用記憶領域）を作業領域にして、時間デインターリーブの処理を行う。つまり、図２（ｂ）に示すように１３セグメントのうちのＢ階層やＣ階層のセグメントによって送られてくるＨＤＴＶ放送番組や標準テレビジョン番組についての時間デインターリーブを行い、Ａ階層のセグメントによって送られてくる簡易動画についての時間デインターリーブを行わない。【００５５】
一方、受信系統ＲＸＢでは、チューナ部１２ｂがチャンネル周波数ｆ２の局発信号に基づいて周波数変換の処理を行うことにより、中間周波信号（ＩＦ信号）を生成してＡＤＣ１３ｂへ出力し、更に、ＦＦＴ部１４ｂからベースバンド信号Ｂｂが出力され、切替部１８を介してＯＦＤＭ復調部１６ｂに供給される。【００５６】
そして、ベースバンド信号Ｂｂが入力信号ＳｂとなってＯＦＤＭ復調部１６ｂに供給されると、ＯＦＤＭ復調部１６ｂでは、図１（ｂ）を参照して説明したのと同様のＯＦＤＭ復調処理が行われてトランスポートストリームＴＳｂが再生され、そのトランスポートストリームＴＳｂをＭＰＥＧデコーダ７ｂがデコードし、放送局側から送出されてきた放送番組の内容である映像や音声、データ等を出力信号Ｄｂとして出力する。【００５７】
ここで、上述のＯＦＤＭ復調部１６ｂは、時間デインターリーブの処理を行う際、共有メモリＭＥＭの部分受信用記憶領域（図２（ａ）中の第２記憶領域）を作業領域に用いて、時間デインターリーブの処理を行う。つまり、図２（ｂ）に示すように１３セグメントのうちのＡ階層のセグメントによって送られてくる簡易動画についての時間デインターリーブを行う。【００５８】
すなわち、局発信号のチャンネル周波数ｆ１，ｆ２が互いに異なった周波数に設定された場合には、ＯＦＤＭ復調部１６ａが共有メモリＭＥＭの第１記憶領域に用いて時間デインターリーブの処理を行うのに対し、ＯＦＤＭ復調部１６ｂは共有メモリＭＥＭの部分受信用記憶領域を作業領域に用いて時間デインターリーブの処理を行う。【００５９】
以上説明したように、本実施形態の受信装置１０によれば、チューナ部１２ａ，１２ｂのチャンネル周波数ｆ１，ｆ２が同じ場合には、切替部１８が出力接点Ｘ側に切り替わると共に、２つの受信系統Ａ，Ｂが同一の物理チャンネルを受信し、２つのベースバンド信号Ｂａ，Ｂｂを加算器１５で合成してからＯＦＤＭ復調１６ａで復調処理を行うので、Ｃ／Ｎの向上を図ることができ、より良好な受信状態で地上ディジタル放送を受信することができる。【００６０】
更に、チューナ部１２ａ，１２ｂのチャンネル周波数ｆ１，ｆ２が互いに異なる場合には、切替部１８が出力接点Ｙ側に切り替わることで、受信系統Ａから出力されるベースバンド信号ＢａをＯＦＤＭ復調部１６ａがＯＦＤＭ復調の処理を行うと共に、受信系統Ｂから出力されるベースバンド信号ＢｂをＯＦＤＭ復調部１６ｂがＯＦＤＭ復調の処理を行い、更に、ＯＦＤＭ復調部１６ａ，１６ｂが共有メモリＭＥＭを共有して夫々時間デインターリーブの処理を行うので、受信系統Ａ，Ｂを有効に活用して異なる物理チャンネルの放送を受信することができると共に、共有メモリＭＥＭの記憶容量を低減することができる。【００６１】
なお、以上の説明では、チューナ部１２ａ，１２ｂのチャンネル周波数ｆ１，ｆ２が互いに異なる場合として、例えば、受信系統ＲＸＢで、各放送局から個別に送られてくる電子番組案内（ＥＰＧ）等の各局サービス情報（ＳＩ）を受信して、ユーザの利用に供するための総合的な電子番組表を作成したり、ユーザがいわゆる裏番組を録画しようとする場合について説明したが、本実施形態の受信装置１０は、チューナ部１２ａ，１２ｂのチャンネル周波数ｆ１，ｆ２を互いに異ならせる他の使用形態にも適用可能である。
また、１セグメントで簡易動画が放送されてくる場合の実施形態について説明したが、将来、複数セグメントで移動体向け等の簡易動画が放送されることとなった場合でも、共有メモリＭＥＭの一部記憶領域をその複数セグメントの放送を受信（時間デインターリーブ）するために割り当てることで、メモリ容量の大幅な低減等を実現することができる。
【実施例】
【００６２】
次に、具体的な実施例について図３を参照して説明する。図３は、本実施例の受信装置の構成を表したブロック図であり、図２（ａ）と同一又は相当する部分を同一符号で示している。【００６３】
図３において、この受信装置１０は、図２（ａ）に示した受信装置と同様に、複数のダイバーシチアンテナＡＮＴ1〜ＡＮＴnが接続されたアンテナ切替部１１と、第１の受信系統ＲＸＡと、第２の受信系統ＲＸＢと、加算器１５、切替部１８、ＯＦＤＭ復調部１６ａ，１６ｂ、ＭＰＥＧデコーダ部１７ａ，１７ｂと、共有メモリＭＥＭを有し、更にユーザ等からの指示に従って受信装置１０を制御する制御手段としてのシステムコントローラ１９が設けられている。【００６４】
システムコントローラ１９は、チューナ部１２ａ，１２ｂのチャンネル周波数ｆ１，ｆ２を設定する他、切替制御信号ＳＷによって切替部１８を制御すると共に、制御信号ＣＮＴａ，ＣＮＴｂによってＯＦＤＭ復調部１６ａ，１６ｂを制御する。【００６５】
次に、かかる構成を有する本実施例の受信装置１０の動作について説明する。【００６６】
ユーザが操作部（図示略）を操作して所望の放送局のチャンネル番号を選択すると、システムコントローラ１９が、その選択されたチャンネル番号（物理チャンネル）に対応する同一のチャンネル周波数ｆ１，ｆ２をチューナ部１２ａ，１２ｂに対して指示すると共に、切替制御信号ＳＷによって切替部１８を出力接点Ｘ側へ切り替えさせ、更に、制御信号ＣＮＴｂによってＯＦＤＭ復調部１６ｂの動作を停止させ、制御信号ＣＮＴａによってＯＦＤＭ復調部１６ａに通常のＯＦＤＭ復調処理を行わせるための指示をする。【００６７】
このようにシステムコントローラ１９によって所定の制御が行われると、受信装置１０は「通常受信モード」となる。【００６８】
そして、通常受信モードでは、チューナ部１２ａ，１２ｂが同一のチャンネル周波数ｆ１，ｆ２の局発信号に基づいて周波数変換の処理を行って、同じ帯域幅の中間周波信号（ＩＦ信号）を夫々ＡＤＣ１３ａ，１３ｂ側へ出力し、ＦＦＴ部１４ａ，１４ｂから同じベースバンド信号Ｂａ，Ｂｂが出力される。更に、加算器１５が、ＦＦＴ部１４ａからのベースバンド信号Ｂａと、切替部１８を介してＦＦＴ部１４ｂから供給されるベースバンド信号Ｂｂとを加算（合成）し、その合成したベースバンド信号ＳａをＯＦＤＭ復調部１６ａに供給する。そして、ＯＦＤＭ復調部１６ａが、制御信号ＣＮＴａの指示に従って、上述の合成されたベースバンド信号Ｓａに対して通常のＯＦＤＭ復調処理を行うことでトランスポートストリームＴＳaを再生し、ＭＰＥＧデコーダ７ａがそのトランスポートストリームＴＳaをデコードすることにより、放送局側から送出されてきた放送番組の内容である映像や音声、データ、電子番組案内（ＥＰＧ）等の各局サービス情報（ＳＩ）等を再生し、出力信号Ｄａとして出力する。【００６９】
ここで、通常受信モードの場合、ＯＦＤＭ復調部１６ａが共有メモリＭＥＭの第１セグメント用記憶領域から第１３セグメント用記憶領域までを作業領域に用いて、時間デインターリーブの処理を行う。例えば、簡易動画を含まず１３セグメントでＨＤＴＶ放送の番組が伝送されてきた場合や、簡易動画を含んで１２セグメントでＨＤＴＶ放送の番組が伝送されてきた場合等では、ＯＦＤＭ復調部１６ａは、共有メモリＭＥＭの第１セグメント用記憶領域から第１３セグメント用記憶領域までを用いて時間デインターリーブの処理を行う。【００７０】
このように、通常受信モードにおいて、２系統のチューナ部１２ａ，１２ｂで同じ物理チャンネルの放送を同時受信し、その同時受信によってＦＦＴ部１４ａ，１４ｂから出力される２つのベースバンド信号Ｂａ，Ｂｂを加算器１５で合成してからＯＦＤＭ復調１６ａで復調処理を行うことで、Ｃ／Ｎの向上を図ることができ、ＭＰＥＧデコーダ部１７ａから出力される出力信号Ｄａに基づいて、図示しないモニターやスピーカで映像や音声を再生させることで、より良好な受信状態で地上ディジタル放送を視聴させることができる。【００７１】
更に、システムコントローラ１９は、以上に説明した２系統のチューナ部１２ａ，１２ｂで同じ物理チャンネルの放送を同時受信させる通常受信モードの間に、所定の周期Ｔ毎に、受信系統ＲＸＡのチューナ部１２ａから出力される中間周波信号（ＩＦ信号）のレベル（振幅）等を調べて受信感度（ＣＮＲ）を検出する。そして、その検出結果に基づいて、受信感度が低下していると判断すると、通常受信モードによる受信動作を継続し、一方、受信感度が高く良好な受信状態の下で受信が行われていると判断すると、チューナ部１２ａのチャンネル周波数ｆ１をそのまま維持すると共に、切替制御信号ＳＷによって切替部１８を出力接点Ｙ側へ切り替えさせると同時に、「切替モード」に変更させたことを制御信号ＣＮＴａ，ＣＮＴｂによってＯＦＤＭ復調部１６ａ，１６ｂに指示した後、各放送局の物理チャンネルを順次にシークして受信すべく、チューナ部１２ｂのチャンネル周波数ｆ２を変更していく。【００７２】
こうしてシステムコントローラ１９が切替モードを設定すると、物理チャンネルの異なる各放送局から個別に送られてくる電子番組案内（ＥＰＧ）等の各局サービス情報（ＳＩ）を受信するための制御を開始することとなり、ＯＦＤＭ復調部１６ａが受信系統ＲＸＡから供給されるベースバンド信号Ｂａを入力信号ＳａとしてＯＦＤＭ復調を行い、ＯＦＤＭ復調部１６ｂが受信系統ＲＸＢから切替部１８を介して供給されるベースバンド信号Ｂｂを入力信号ＳｂとしてＯＦＤＭ復調を行う。【００７３】
更に、切替モードの場合には、ＯＦＤＭ復調部１６ａが共有メモリＭＥＭの第１セグメント用記憶領域から第１３セグメント用記憶領域領域を作業領域に用いて時間デインターリーブの処理を行うのに対し、ＯＦＤＭ復調部１６ｂは、共有メモリＭＥＭの部分受信用記憶領域を作業領域に用いて時間デインターリーブの処理を行う。【００７４】
つまり、ＯＦＤＭ復調部１６ｂは、受信系統ＲＸｂがシーク受信中の物理チャンネル内の１３セグメントのうち、Ａ階層のセグメントによって送られてくる簡易動画についての時間デインターリーブを、部分受信用記憶領域を用いて行う。【００７５】
そして、ＯＦＤＭ復調部１６ｂがＡ階層の簡易動画についてＯＦＤＭ復調することによって再生されるトランスポートストリームＴＳbを、ＭＰＥＧデコーダ部１７ｂがデコードすることにより、各放送局から個別に送られてくる電子番組案内（ＥＰＧ）等の各局サービス情報（ＳＩ）を生成して出力信号Ｄｂとして出力し、図示しない電子番組表作成部に供給して、総合的な電子番組表を作成させる。【００７６】
更に、システムコントローラ１９は、上述の切替モードの期間中に、受信系統ＲＸＡのチューナ部１２ａから出力される中間周波信号（ＩＦ信号）のレベル（振幅）等を調べて受信感度（ＣＮＲ）を逐一検出し、受信状態が劣化すると判断すると、切替制御信号ＳＷによって切替部１８を出力接点Ｘ側へ切り替えさせ、更に、チューナ部１２ｂのチャンネル周波数ｆ２を、チューナ部１２ａのチャンネル周波数ｆ１と同一の周波数に戻すと共に、制御信号ＣＮＴａ，ＣＮＴｂによってＯＦＤＭ復調部１６ａ，１６ｂに、通常受信モード（同時受信のモード）の動作に戻った旨の指示をする。【００７７】
そして、システムコントローラ１９は、通常受信モードの動作に戻した後、受信系統ＲＸＡのチューナ部１２ａから出力される中間周波信号（ＩＦ信号）のレベル（振幅）等を調べて受信感度（ＣＮＲ）を逐一検出し、良好な受信状態が得られると判断すると、上述した切替モードに切り替えて、電子番組表を作成する為の制御に戻るようになっている。【００７８】
このように、本実施例の受信装置１０によれば、基本的に受信系統ＲＸＡ，ＲＸＢによって同一の物理チャンネルを同時受信し、その同時受信中に所定の周期Ｔ毎に、電子番組表を作成するための切替モードの受信動作に切り替わり、更に、切替モードの受信動作中に受信状態が劣化すると、良好な受信状態を設定すべく受信系統ＲＸＡ，ＲＸＢによって同一の物理チャンネルを同時受信するように切り替わり、再び良好な受信状態が得られるようになると、電子番組表を作成するための切替モードの受信動作に切り替わるという処理を繰り返す。【００７９】
このため、ユーザ等が視聴中の放送を良好な受信状態の下で受信しながら、最新の電子番組表を作成するための処理を並列的に行うことができる。【００８０】
更に、基本的に受信系統ＲＸＡ，ＲＸＢによって同一の物理チャンネルを同時受信することでより良好な受信状態を確保することとし、一方、良好な受信状態が得られる期間内に、電子番組表を作成するための切替モードに切り替わって、受信系統ＲＸｂで各放送局の物理チャンネルを受信するので、２つの受信系統ＲＸＡ，ＲＸＢを有効活用することが可能である。【００８１】
更に、ＯＦＤＭ復調部１６ａ，１６ｂに対して１つの共有メモリＭＥＭが設けられ、上述の同時受信（通常受信モード）の際には、ＯＦＤＭ復調部１６ａがその共有メモリＭＥＭを用いて時間デインターリーブの処理を行い、一方、上述の電子番組表を作成する際の切替モードのときには、ＯＦＤＭ復調部１６ａが第１セグメント用記憶領域から第１３セグメント用記憶領域までの記憶領域を用いて時間デインターリーブの処理を行い、ＯＦＤＭ復調部１６ｂが部分受信用記憶領域を用いて時間デインターリーブの処理を行うので、時間デインターリーブの処理を行うための共有メモリＭＥＭの記憶容量を大幅に低減することができる。このため、受信装置１０の装置の小型化、部品点数の低減等を図ることが可能である。
【図１】
0004650844.tif 000002
【図２】
0004650844.tif 000003
【図３】
0004650844.tif 000004